(57)【要約】  本明細書で説明される特定の実施形態は、第１筐体と、クレードルと、第１筐体をクレードルに回転可能に連結するヒンジとを含むデバイスを提供する。ヒンジは、摩擦トルクをヒンジに選択的に提供するように構成されるスイッチボルトと、ばねトルクをヒンジに提供するように構成されるトーションばねと、スイッチボルトをアクティベート化し、かつ、非アクティベート化するスイッチ機構を含み、スイッチボルトにより提供される摩擦トルクは、トーションばねにより提供されるばねトルクより大きい。
2018524649.tif 000002
【特許請求の範囲】
【請求項１】
第１筐体と、
クレードルと、
前記第１筐体を前記クレードルに回転可能に連結するヒンジと、を備え、
前記ヒンジは、
摩擦トルクを前記ヒンジに選択的に提供するスイッチボルトと、
ばねトルクを前記ヒンジに提供するトーションばねと、
前記スイッチボルトをアクティベート化し、かつ、非アクティベート化するスイッチ機構を含み、
前記スイッチボルトにより提供される前記摩擦トルクは、前記トーションばねにより提供される前記ばねトルクより大きい、デバイス。
【請求項２】
前記ヒンジはさらに、前記スイッチボルトと連結し前記摩擦トルクを提供するスイッチボルト受けを含む、請求項１に記載のデバイス。
【請求項３】
前記ヒンジはさらに、スイッチプレートを含み、前記スイッチ機構は、前記スイッチボルトと前記スイッチボルト受けとを連結および分離すべく、前記スイッチプレートを選択的に移動させる、請求項２に記載のデバイス。
【請求項４】
第２筐体が前記クレードルに挿入される場合に、前記スイッチ機構はアクティベート化される、請求項１から３のいずれか一項に記載のデバイス。
【請求項５】
前記第２筐体はスタンドアロン型のタブレットである、請求項４に記載のデバイス。
【請求項６】
前記スイッチ機構は磁石である、請求項１から５のいずれか一項に記載のデバイス。
【請求項７】
前記ばねトルクは前記ヒンジをデフォルトポジションにさせる、請求項１から６のいずれか一項に記載のデバイス。
【請求項８】
ヒンジ内のスイッチ機構をアクティベート化する段階と、
前記スイッチ機構を非アクティベート化する段階と、を備え、
前記ヒンジは、
前記スイッチ機構がアクティベート化されると、摩擦トルクを前記ヒンジに選択的に提供するスイッチボルトと、
ばねトルクを前記ヒンジに提供するトーションばねと、を含み、
前記スイッチボルトにより提供される前記摩擦トルクは、前記トーションばねにより提供される前記ばねトルクより大きく、
前記非アクティベート化は前記ヒンジをデフォルトポジションに戻らせる、方法。
【請求項９】
前記ヒンジはさらに、前記スイッチボルトと連結し前記摩擦トルクを提供するスイッチボルト受けを含む、請求項８に記載の方法。
【請求項１０】
前記ヒンジはさらに、スイッチプレートを含み、
前記スイッチ機構は、前記スイッチボルトと前記スイッチボルト受けとを連結および分離すべく、前記スイッチプレートを選択的に移動させる、請求項９に記載の方法。
【請求項１１】
第２筐体がクレードルに挿入される場合に、前記スイッチ機構はアクティベート化される、請求項８から１０のいずれか一項に記載の方法。
【請求項１２】
前記第２筐体はスタンドアロン型のタブレットである、請求項１１に記載の方法。
【請求項１３】
前記スイッチ機構は磁石である、請求項８から１２のいずれか一項に記載の方法。
【請求項１４】
前記ばねトルクは前記ヒンジをデフォルトポジションにさせる、請求項８から１３のいずれか一項に記載の方法。
【請求項１５】
第１筐体と、
第２筐体を受け入れるクレードルと、
前記第１筐体を前記クレードルに回転可能に連結するヒンジと、を備え、
前記ヒンジは、
摩擦トルクを前記ヒンジに選択的に提供するスイッチボルトと、
ばねトルクを前記ヒンジに提供するトーションばねと、
前記スイッチボルトをアクティベート化し、かつ、非アクティベート化するスイッチ機構を含み、
前記スイッチボルトにより提供される前記摩擦トルクは、前記トーションばねにより提供される前記ばねトルクより大きい、システム。
【請求項１６】
前記ヒンジはさらに、前記スイッチボルトと連結し前記摩擦トルクを提供するスイッチボルト受けを含む、請求項１５に記載のシステム。
【請求項１７】
前記ヒンジはさらに、スイッチプレートを含み、前記スイッチ機構は、前記スイッチボルトと前記スイッチボルト受けとを連結および分離すべく、前記スイッチプレートを選択的に移動させる、請求項１６に記載のシステム。
【請求項１８】
前記第２筐体が前記クレードルに挿入される場合に、前記スイッチ機構はアクティベート化される、請求項１５から１７のいずれか一項に記載のシステム。
【請求項１９】
前記第２筐体はスタンドアロン型のタブレットである、請求項１５から１８のいずれか一項に記載のシステム。
【請求項２０】
前記ばねトルクは前記ヒンジをデフォルトポジションにさせる、請求項１５から１９のいずれか一項に記載のシステム。
【発明の詳細な説明】
【技術分野】
【０００１】
［関連出願への相互参照］
本願は、２０１５年６月２７日に出願された「ＨＩＮＧＥ  ＦＯＲ  Ａ  ＤＥＶＩＣＥ」と題する米国非仮（実用）特許出願第１４／７５２，９２０号に基づく優先権の利益を主張し、当該出願は参照により本明細書にその全体が組み込まれる。
【０００２】
本開示は概して電子デバイスの分野に関し、より具体的には、電子デバイス用のヒンジに関する。
【図面の簡単な説明】
【０００３】
本開示、ならびに、その特徴および利点のより完全な理解を提供すべく、添付の図と組み合わせて、以下の説明が参照され、実施形態は添付の図面の図において例として示されているものであり、限定として示されているものではなく、図において同様の参照符号は同様の要素を示している。
【０００４】
【図１Ａ】本開示の一実施形態による、取り付けられたデフォルト構成の電子デバイスの実施形態の正射影図を示している簡略化された概略図である。
【０００５】
【図１Ｂ】本開示の一実施形態による、取り付けられた傾斜構成の電子デバイスの実施形態の正射影図を示している簡略化された概略図である。
【０００６】
【図１Ｃ】本開示の一実施形態による、取り外された傾斜構成の電子デバイスの一部の実施形態の正射影図を示している簡略化された概略図である。
【０００７】
【図１Ｄ】本開示の一実施形態による、取り外されたデフォルト構成の電子デバイスの一部の実施形態の正射影図を示している簡略化された概略図である。
【０００８】
【図２】本開示の一実施形態による、電子デバイスのヒンジの正射影分解図を示している簡略化された概略図である。
【０００９】
【図３】一実施例による、電子デバイスのヒンジの正射影図を示している簡略化された概略図である。
【００１０】
【図４】本開示の一実施形態による、電子デバイスのヒンジの正射影図を示している簡略化された概略図である。
【００１１】
【図５】一実施例による、電子デバイスの一部の正射影図を示している簡略化された概略図である。
【００１２】
【図６】一実施例による、電子デバイスの一部の正射影図を示している簡略化された概略図である。
【００１３】
【図７】一実施例による、電子デバイスの一部の正射影図を示している簡略化された概略図である。
【００１４】
【図８】ある実施形態による、ポイントツーポイント構成で配置された例示的なコンピューティングシステムを示しているブロック図である。
【００１５】
【図９】本開示の例示的なＡＲＭエコシステムのシステムオンチップ（ＳＯＣ）に関連する簡略化されたブロック図である。
【００１６】
【図１０】ある実施形態による、例示的なプロセッサコアを示しているブロック図である。
【００１７】
図面の図は、必ずしも縮尺通りに描かれてはいない。それらの寸法が、本開示の範囲から逸脱することなく大幅に変更され得るためである。
【発明を実施するための形態】
【００１８】
［例示的な実施形態］
図１Ａは、本開示の一実施形態による、取り付けられた構成の電子デバイス１００の実施形態を示している簡略化された正射影図である。電子デバイス１００は第１筐体１０２、第２筐体１０４、第２筐体クレードル１０６、およびヒンジ１０８を含み得る。図１Ａに示されているように、ヒンジはデフォルト構成である。
【００１９】
図１Ｂを参照すると、図１Ｂは、本開示の一実施形態による、取り付けられた傾斜構成の電子デバイス１００を示している側面図を示している、簡略化された概略図である。図１Ｂに示されているように、電子デバイス１００は、図１Ａに示されているデフォルト構成から、傾斜または回転構成となるよう、傾斜または回転されている。一例において、電子デバイス１００のユーザは、第２筐体１０４に含まれるディスプレイの、より良好な視角を作り出すべく、第２筐体１０４を傾斜または回転していてよい。１または複数の実施形態において、電子デバイス１００は、ハイブリッド電子デバイス、ツーインワン電子デバイス、取り外し可能ディスプレイ（例えば第２筐体１０４）付きのノートブックもしくはラップトップコンピュータ、または何らかのその他の同様のデバイスである。
【００２０】
図１Ｃを参照すると、図１Ｃは、本開示の一実施形態による、取り外された傾斜構成の電子デバイスの一部の実施形態の側面図を示している簡略化された概略図である。図１Ｃに示されているように、第２筐体１０４は第１筐体１０２から取り外されている。第２筐体１０４は、第１筐体１０２とドッキングされ得るスタンドアロン型のタブレットであってよい。第１筐体１０２は、第２筐体１０４のための、ベースまたはキーボードアタッチメントであってよい。
【００２１】
図１Ｄを参照すると、図１Ｄは、本開示の一実施形態による、取り外されたデフォルト構成の電子デバイスの一部の実施形態の側面図を示している簡略化された概略図である。図１Ｄに示されているように、ヒンジ１０８は図１Ｃの傾斜ポジションから回転し、デフォルトのオープンな構成に戻っている。一例として、第２筐体１０４が第１筐体１０２から取り外されると、ヒンジは自動的に図１Ｄに示されているデフォルト構成に戻ることになる。
【００２２】
電子デバイス１００の特定の例示的な特徴を示すことを目的として、以下の基本的情報は、本開示が適切に説明され得るための基礎としてみられてよい。一般的にトーションばね付きのヒンジは、様々な電子デバイスの蓋の開動機能を支援するために用いられる。精緻に調整されたトーションばね機構により、ユーザは、保持トルクに打ち勝つべく、蓋を開くのに片手を、ラップトップのベースを持つのにもう片方の手を用いる代わりに、片手で電子デバイスの蓋を開くまたは傾けることができる。言い換えれば、トーションばね機構は、より良いユーザ体験を提供する。しかしながら、トーションばねが、ワッシャ要素と同一軸に組み付けられると、出力トルクはワッシャとトルクばねの両方に関連することになる。結果として、独立したトルク出力ソースの選択（例えば、ワッシャかトルクばね、またはその組み合わせのいずれかからのトルク）を提供するスイッチ機構はない。それはトルク出力が範囲内に限られ、デバイスの必要なトルクが、異なるシナリオのもとで大幅に変わる場合、従来の設計は、所望の動作を実現することができないということを意味する。必要とされるのは、トルク出力を変えることができる自動スイッチ機構付きのヒンジ設計である。
【００２３】
図１Ａから図１Ｄで概説された、自動スイッチ機構付きのヒンジ設計は、これらの問題（および他の問題）を解決できる。電子デバイス１００はヒンジ１０８を含み得る。ヒンジ１０８はヒンジアセンブリに自動スイッチ機構を組み込むように構成され得る。スイッチ機構は、磁気誘導、機械的アクティベート化、電気的アクティベート化、または、スイッチ機構を自動的にアクティベート化する何らかの他の手段を用いて、第１筐体１０２のクレードル１０６への、第２筐体１０４の挿入のような外部の動作により始動されてよい。スイッチ機構はヒンジ１０８内に位置するトルク出力ソースを選択するように構成され得る。
【００２４】
図２を参照すると、図２は、本開示の一実施形態による、電子デバイスのヒンジの正射影分解図を示している簡略化された概略図である。ヒンジ１０８は、スイッチプレート１１０、スイッチボルト１１２、クレードルヒンジプレート１１６、トーションばね１１８、スイッチ機構１２０、スイッチボルト受け１２２、主ヒンジロッド１２４、スイッチプレートチャネル１２６、および第１筐体ヒンジプレート１２８を含み得る。一例において、スイッチ機構１２０は磁石であってよい。スイッチ機構１２０の磁石は、希土類磁石であってよい。
【００２５】
図３を参照すると、図３は、一実施例による、電子デバイスのヒンジの正射影図を示している簡略化された概略図である。主ヒンジロッド１２４は、第１筐体ヒンジプレート１２８に対するクレードルヒンジプレート１１６の回転を可能とするようにヒンジロッド受け１１４に挿入され得る。図３に示されているように、ヒンジ１０８はデフォルトポジションにある。スイッチ機構１２０はアクティベート化されておらず、スイッチプレート１１０は、スイッチボルト１１２がスイッチボルト受け１２２に係合するようには移動されていない。この構成において、ヒンジ１０８に提供されるトルクは、トーションばね１１８からのばねトルクである。
【００２６】
図４を参照すると、図４は、本開示の一実施形態による、電子デバイスのヒンジの正射影図を示している簡略化された概略図である。図４に示されているように、ヒンジ１０８は取り付けられた傾斜ポジションにあってよい。この構成において、スイッチ機構１２０はアクティベート化され、スイッチプレート１１０は、スイッチボルト１１２がスイッチボルト受け１２２に係合するように、スイッチプレートチャネル１２６に沿って移動されている。この構成において、ヒンジ１０８に提供されるトルクは、スイッチボルト１１２とスイッチボルト受け１２２の係合からの摩擦トルクである。
【００２７】
図５を参照すると、図５は、一実施例による、電子デバイスの一部の正射影図を示している簡略化された概略図である。図５に示されているように、第１筐体ヒンジプレート１２８は第１筐体１０２に連結され、クレードルヒンジプレート１１６はクレードル１０６に連結されている。ヒンジ１０８はデフォルト構成であり、スイッチ機構１２０はアクティベート化されていない。
【００２８】
図６を参照すると、図６は、一実施例による、電子デバイスの一部の正射影図を示している簡略化された概略図である。第２筐体１０４はスイッチアクティベート化機構１３０を含み得る。スイッチアクティベート化機構１３０は、スイッチ機構１２０と相互作用してこれをアクティベート化するように構成され得る。一例において、スイッチアクティベート化機構１３０は、スイッチ機構１２０を引き付けてアクティベート化するように構成される磁石であってよい。
【００２９】
図７を参照すると、図７は、一実施例による、電子デバイスの一部の正射影図を示している簡略化された概略図である。第２筐体１０４がクレードル１０６にドッキングされると、スイッチアクティベート化機構１３０はスイッチ機構１２０をアクティベート化することができる。スイッチ機構１２０は、ヒンジに摩擦トルクを加えるよう、スイッチボルト受け１２２をスイッチボルト１１２に係合させるべく、スイッチプレート１１０を移動させる。これは、ユーザがスクリーンアングル視野を調節するのを可能にするトルクを提供する。第２筐体１０４がクレードル１０６から取り外されると、スイッチ機構１２０は非アクティベート化され、スイッチボルト１１２は、スイッチボルト受け１２２から離れるよう移動して、係脱する。トーションばね１１８からのばねトルク（例えばトーションばね１１８が圧迫する）は、ヒンジ１０８を図５に示されているデフォルトポジションに戻らせることになる。スイッチボルト１１２は、係合されると、スイッチプレート１１０と共に角度移動する。第２筐体１０４が取り外されると、スイッチプレート１１０は、スイッチボルト１１２から離れるよう移動して、係脱し、摩擦トルクを低減し、ばね１１８が、デフォルトポジションにクレードルドックを戻すのを可能にすることになる。他の複数の例において、スイッチプレートは、第２筐体１０４がクレードルに配置されるとアクティベート化され得て、ユーザにより、または、スイッチプレート１１０をアクティベート化および移動させスイッチボルト受け１２２をスイッチボルト１１２に係合させるのに用いられ得る何らかの他の手段によりアクティベート化される電気的スイッチのような電気的手段により移動可能である。
【００３０】
図８を参照すると、図８は、ある実施形態による、ポイントツーポイント（ＰｔＰ）構成で配置されたコンピューティングシステム８００を示している。具体的には、図８は、プロセッサ、メモリおよび入力／出力デバイスが複数のポイントツーポイントインターフェースにより相互接続されたシステムを示している。概して、電子デバイス１００の１または複数のネットワーク要素は、コンピューティングシステム８００と同一または同様の方式で構成されてよい。
【００３１】
図８に示されているように、システム８００は、いくつかのプロセッサを含んでよく、明確性のために、そのうちの２つのプロセッサ８７０および８８０のみが示されている。２つのプロセッサ８７０および８８０が示されているが、システム８００の実施形態はまた、このようなプロセッサを１つだけ含んでもよいことを理解されたい。プロセッサ８７０および８８０はそれぞれ、プログラムの複数のスレッドを実行すべく、コアのセット（すなわち、プロセッサコア８７４Ａおよび８７４Ｂ、ならびにプロセッサコア８８４Ａおよび８８４Ｂ）を含んでよい。コアは、命令コードを実行するように構成されてよい。各プロセッサ８７０、８８０は、少なくとも１つの共有キャッシュ８７１、８８１を含んでよい。共有キャッシュ８７１、８８１は、プロセッサコア８７４および８８４のような、プロセッサ８７０、８８０の１または複数のコンポーネントにより利用されるデータ（例えば、命令）を記憶してよい。
【００３２】
プロセッサ８７０および８８０はまたそれぞれ、メモリ素子８３２および８３４と通信すべく、統合メモリコントローラロジック（ＭＣ）８７２および８８２を含んでよい。メモリ素子８３２および／または８３４は、プロセッサ８７０および８８０により用いられる様々なデータを記憶してよい。代替的な実施形態において、メモリコントローラロジック８７２および８８２は、プロセッサ８７０および８８０とは別のディスクリートロジックであってよい。
【００３３】
プロセッサ８７０および８８０は、任意の種類のプロセッサであってよく、それぞれ、ポイントツーポイントインターフェース回路８７８および８８８を用いてポイントツーポイント（ＰｔＰ）インターフェース８５０を介して、データを交換してよい。プロセッサ８７０および８８０はそれぞれ、ポイントツーポイントインターフェース回路８７６、８８６、８９４および８９８を用いて個々のポイントツーポイントインターフェース８５２および８５４を介して、制御ロジック８９０とデータを交換してよい。制御ロジック８９０はまた、ＰｔＰインターフェース回路であり得るインターフェース回路８９２を用いて高性能グラフィクスインターフェース８３９を介して、高性能グラフィクス回路８３８とデータを交換してよい。代替的な実施形態において、図８に示されているＰｔＰリンクのいずれかまたは全ては、ＰｔＰリンクではなく、マルチドロップバスとして実施され得る。
【００３４】
制御ロジック８９０は、インターフェース回路８９６を介してバス８２０と通信を行ってよい。バス８２０は、バスブリッジ８１８およびＩ／Ｏデバイス８１６のような、バスを介して通信する、１または複数のデバイスを有してよい。バス８１０を介して、バスブリッジ８１８は、キーボード／マウス８１２（もしくはタッチスクリーン、トラックボール等のような他の入力デバイス）、（モデム、ネットワークインターフェースデバイス、もしくはコンピュータネットワーク８６０を介して通信可能な他の種類の通信デバイスのような）通信デバイス８２６、オーディオＩ／Ｏデバイス８１４、および／またはデータ記憶デバイス８２８のような他のデバイスと通信を行ってよい。データ記憶デバイス８２８は、プロセッサ８７０および／または８８０により実行可能なコード８３０を記憶してよい。代替的な実施形態において、バスアーキテクチャの任意の一部は、１または複数のＰｔＰリンクで実施され得る。
【００３５】
図８に示されているコンピュータシステムは、本明細書で説明される様々な実施形態を実施するべく利用可能なコンピューティングシステムの一実施形態の概略図である。図８に示されているシステムの様々なコンポーネントは、システムオンチップ（ＳｏＣ）アーキテクチャで、または任意の他の適切な構成で組み合わせられてよいことが理解されよう。例えば、本明細書で開示される実施形態は、スマート携帯電話、タブレットコンピュータ、携帯情報端末、ポータブルゲームデバイス等のようなモバイルデバイスを含むシステムに組み込まれ得る。これらのモバイルデバイスには、少なくともいくつかの実施形態において、ＳｏＣアーキテクチャが提供されてよいことが理解されよう。
【００３６】
図９を参照すると、図９は、本開示の例示的なＡＲＭエコシステムＳＯＣ９００に関連する簡略化されたブロック図である。本開示の少なくとも１つの実施例は、本明細書で説明されるヒンジ構成の特徴およびＡＲＭコンポーネントを含み得る。例えば、図９の例は、任意のＡＲＭコア（例えば、Ａ−７、Ａ−１５等）に関連付けられてよい。さらに、アーキテクチャは、任意の種類のタブレット、スマートフォン（Ａｎｄｒｏｉｄ（登録商標）フォン、ｉＰｈｏｎｅ（登録商標）、ｉＰａｄ（登録商標）、Ｇｏｏｇｌｅ  Ｎｅｘｕｓ（登録商標）、Ｍｉｃｒｏｓｏｆｔ  Ｓｕｒｆａｃｅ（登録商標）を含む）、パーソナルコンピュータ、サーバ、ビデオ処理コンポーネント、ラップトップコンピュータ（任意の種類のノートブックを含む）、Ｕｌｔｒａｂｏｏｋ（登録商標）システム、任意の種類のタッチ対応の入力デバイス等の一部であり得る。
【００３７】
図９の本例において、ＡＲＭエコシステムＳＯＣ９００は、複数のコア９０６〜９０７、Ｌ２キャッシュ制御９０８、バスインターフェースユニット９０９、Ｌ２キャッシュ９１０、グラフィクス処理ユニット（ＧＰＵ）９１５、相互接続９０２、ビデオコーデック９２０、および液晶ディスプレイ（ＬＣＤ）に連結するモバイルインダストリプロセッサインターフェース（ＭＩＰＩ）／高精細度マルチメディアインターフェース（ＨＤＭＩ（登録商標））のリンクに関連付けられてよいＬＣＤＩ／Ｆ９２５を含んでよい。
【００３８】
ＡＲＭエコシステムＳＯＣ９００はまた、加入者識別モジュール（ＳＩＭ）Ｉ／Ｆ９３０、ブートリードオンリメモリ（ＲＯＭ）９３５、シンクロナスダイナミックランダムアクセスメモリ（ＳＤＲＡＭ）コントローラ９４０、フラッシュコントローラ９４５、シリアルペリフェラルインターフェース（ＳＰＩ）マスタ９５０、適切な電力制御９５５、ダイナミックＲＡＭ（ＤＲＡＭ）９６０、およびフラッシュ９６５を含んでよい。さらに、１または複数の実施形態は、Ｂｌｕｅｔｏｏｔｈ（登録商標）９７０、３Ｇモデム９７５、グローバルポジショニングシステム（ＧＰＳ）９８０、および８０２．１１Ｗｉ−Ｆｉ（登録商標）９８５の例のような、１または複数の通信能力、通信インターフェース、および通信機能を含む。
【００３９】
オペレーションにおいて、図９の例は、様々な種類のコンピューティング（例えば、モバイルコンピューティング、ハイエンドデジタルホーム、サーバ、無線インフラストラクチャ等）を可能にするべく、比較的低い電力消費と共に処理能力を提供することができる。さらに、このようなアーキテクチャは、任意の数のソフトウェアアプリケーション（例えば、Ａｎｄｒｏｉｄ（登録商標）、Ａｄｏｂｅ（登録商標）Ｆｌａｓｈ（登録商標）プレイヤ、Ｊａｖａ（登録商標）プラットフォームスタンダードエディション（Ｊａｖａ（登録商標）ＳＥ）、Ｊａｖａ（登録商標）ＦＸ、Ｌｉｎｕｘ（登録商標）、Ｍｉｃｒｏｓｏｆｔ  Ｗｉｎｄｏｗｓ（登録商標）Ｅｍｂｅｄｄｅｄ、ＳｙｍｂｉａｎおよびＵｂｕｎｔｕ等）を可能にすることができる。少なくとも１つの実施形態において、コアプロセッサは、連結された低レイテンシのレベル２キャッシュによりアウトオブオーダスーパースカラパイプラインを実施してよい。
【００４０】
図１０を参照すると、図１０は、ある実施形態による、プロセッサコア１０００を示している。プロセッサコア１０００は、マイクロプロセッサ、埋め込みプロセッサ、デジタル信号プロセッサ（ＤＳＰ）、ネットワークプロセッサ、またはコードを実行する他のデバイスのような任意の種類のプロセッサのコアであってよい。１つのプロセッサコア１０００のみが図１０に示されているが、代替的に、プロセッサは、図１０に示されているプロセッサコア１０００の１つより多くを含んでよい。例えば、プロセッサコア１０００は、図８のプロセッサ８７０および８８０を参照して図示および説明されるプロセッサコア８７４ａ、８７４ｂ、８８４ａおよび８８４ｂの実施形態を表す。プロセッサコア１０００は、シングルスレッドコアであってよく、または、少なくとも１つの実施形態では、プロセッサコア１０００は、コア毎に１つより多くのハードウェアスレッドコンテキスト（もしくは「ロジカルプロセッサ」）を含んでよいという点において、マルチスレッドであってよい。
【００４１】
図１０はまた、ある実施形態によるプロセッサコア１０００に連結されるメモリ１００２を示している。メモリ１００２は、当業者に既知またはその他利用可能な、多様なメモリ（メモリ階層の様々な層を含む）のいずれかであってよい。メモリ１００２は、コード１００４を含んでよく、これは、プロセッサコア１０００により実行される１または複数の命令であってよい。プロセッサコア１０００は、コード１００４により示される命令のプログラムシーケンスに従い得る。各命令は、フロントエンドロジック１００６に入り、１または複数のデコーダ１００８により処理される。デコーダは、その出力として、予め定義されたフォーマットの固定幅のマイクロオペレーションのようなマイクロオペレーションを、生成してよく、または、元のコード命令を反映する他の命令、マイクロ命令、もしくは制御信号を生成してよい。フロントエンドロジック１００６はまた、レジスタリネーミングロジック１０１０およびスケジューリングロジック１０１２を含み、これらは、概して、リソースを割り当て、実行のための命令に対応するオペレーションをキューに入れる。
【００４２】
プロセッサコア１０００はまた、実行ユニット１０１６−１から１０１６−Ｎのセットを有する実行ロジック１０１４を含み得る。いくつかの実施形態は、特定の機能または機能のセット専用の複数の実行ユニットを含んでよい。他の実施形態は、１つの実行ユニットのみを含んでよく、または特定の機能を実行し得る１つの実行ユニットを含んでよい。実行ロジック１０１４は、コード命令により規定されるオペレーションを実行する。
【００４３】
コード命令により規定されたオペレーションの実行完了後、バックエンドロジック１０１８は、コード１００４の命令をリタイアし得る。一実施形態において、プロセッサコア１０００は、アウトオブオーダ実行を可能とするが、命令のインオーダリタイアメントを必要とする。リタイアメントロジック１０２０は、様々な既知の形態（例えば、リオーダバッファ等）を取ってよい。このように、プロセッサコア１０００は、デコーダにより生成される出力、レジスタリネーミングロジック１０１０により利用されるハードウェアレジスタおよびテーブル、ならびに実行ロジック１０１４により変形される任意のレジスタ（不図示）に少なくとも関して、コード１００４の実行中に変換される。
【００４４】
図１０には示されていないが、あるプロセッサは、プロセッサコア１０００と共に、チップ上に他の要素を含んでよく、少なくともそのいくつかは、図８を参照して本明細書において図示および説明されている。例えば、図８に示されているように、あるプロセッサは、プロセッサコア１０００と共に、メモリ制御ロジックを含んでよい。プロセッサは、Ｉ／Ｏ制御ロジックを含んでよく、および／または、メモリ制御ロジックと統合されたＩ／Ｏ制御ロジックを含んでよい。
【００４５】
本明細書で提供される複数の例により、２つ、３つ、またはそれより多くのネットワーク要素に関するインタラクションが説明される場合があることに留意されたい。しかしながら、これは、明確性および例示のみを目的としてなされたものである。特定の場合には、限定的な数のネットワーク要素のみを参照することにより、フローの所与のセットの１または複数の機能を説明することがより容易になり得る。電子デバイス１００およびその教示は、容易に拡張可能であり、多数のコンポーネントにも、より複雑な／精巧な配置および構成にも適応できることが理解されるべきである。従って、提供される複数の例は、無数の他のアーキテクチャに適用される可能性のある電子デバイス１００の範囲を限定すべきでなく、幅広い教示を妨げるべきではない。
【００４６】
複数の図の複数のオペレーションは、電子デバイス１００により実行されてよい、または電子デバイス１００内で実行されてよい複数の考えられる相関シナリオおよびパターンのうちのいくつかだけを示していることに留意することもまた重要である。これらのオペレーションのうちのいくつかは、適宜削除もしくは除去されてよく、または、これらのオペレーションは、本開示の範囲から逸脱することなく、大幅に変形もしくは変更されてよい。さらに、これら複数のオペレーションは、１または複数の追加的なオペレーションと同時に、またはこれらと並列して、実行されるものとして説明されている。しかしながら、これらのオペレーションのタイミングは、大幅に変更されてよい。前述のオペレーションのフローは、例示および説明目的のために提供されている。複数の任意の適切な配置、時系列、構成、およびタイミングメカニズムが、本開示の教示から逸脱することなく提供されてよいという点において、かなりのフレキシビリティが電子デバイス１００により提供される。
【００４７】
本開示は、特定の配置および構成を参照して詳細に説明されたが、これらの例示的な構成および配置は、本開示の範囲から逸脱することなく、大幅に変更されてよい。さらに、特定のコンポーネントが、特定の必要性および実施に基づいて、組み合わせられ、分離され、削除され、または追加されてよい。さらに、電子デバイス１００は、通信プロセスを容易にする特定の要素およびオペレーションを参照して示されているが、これらの要素およびオペレーションは、電子デバイス１００の意図される機能を達成する任意の適切なアーキテクチャ、プロトコル、および／またはプロセスにより置換されてよい。
【００４８】
多数の他の変化、代替、バリエーション、変更、および変形が、当業者によって確認されてよく、本開示は、全てのこのような変化、代替、バリエーション、変更、および変形を、添付の特許請求の範囲の範囲に属するものとして包含することが意図されている。米国特許商標庁（ＵＳＰＴＯ）および本願に対して発行される特許を参照する方々が、特許請求の範囲を解釈する際に分かり易いように、出願人は、（ａ）特許請求の範囲の請求項がいずれも、「ｍｅａｎｓ  ｆｏｒ（するための手段）」または「ｓｔｅｐ  ｆｏｒ（するためのステップ）」という表現が特に特定の請求項で用いられていない限り、出願日時点に存在する米国特許法第１１２条第６項を適用することを意図しておらず、（ｂ）本明細書のいずれの記載によっても、特許請求の範囲の記載されている内容以外で本開示を限定することを意図するものではない点について注意を喚起しておきたい。
【００４９】
［他の注記および例］
例Ａ１は、第１筐体、クレードル、および第１筐体をクレードルに回転可能に連結するヒンジを含むデバイスである。ヒンジは、摩擦トルクをヒンジに選択的に提供するように構成されるスイッチボルトと、ばねトルクをヒンジに提供するように構成されるトーションばねと、スイッチボルトをアクティベート化し、かつ、非アクティベート化するスイッチ機構を含み、スイッチボルトにより提供される摩擦トルクは、トーションばねにより提供されるばねトルクより大きい。
【００５０】
例Ａ２において、例Ａ１の主題は、ヒンジはさらにスイッチボルトと連結し摩擦トルクを提供するスイッチボルト受けを含むことを任意に含んでよい。
【００５１】
例Ａ３において、先行の複数の例「Ａ」のいずれかの主題は、ヒンジはさらに、スイッチプレートを含み、スイッチ機構は、スイッチボルトとスイッチボルト受けとを連結および分離すべく、スイッチプレートを選択的に移動させることを任意に含み得る。
【００５２】
例Ａ４において、先行の複数の例「Ａ」のいずれかの主題は、第２筐体がクレードルに挿入される場合にスイッチ機構はアクティベート化されることを任意に含み得る。
【００５３】
例Ａ５において、先行の複数の例「Ａ」のいずれかの主題は、第２筐体はスタンドアロン型のタブレットであることを任意に含み得る。
【００５４】
例Ａ６において、先行の複数の例「Ａ」のいずれかの主題は、スイッチ機構は磁石であることを任意に含み得る。
【００５５】
例Ａ７において、先行の複数の例「Ａ」のいずれかの主題は、ばねトルクはヒンジをデフォルトポジションにさせることを任意に含み得る。
【００５６】
例Ｍ１は、ヒンジ内のスイッチ機構をアクティベート化する段階と、スイッチ機構を非アクティベート化する段階であって、非アクティベート化はヒンジをデフォルトポジションに戻らせる段階を含む方法である。ヒンジは、スイッチがアクティベート化されると、摩擦トルクをヒンジに選択的に提供するように構成されるスイッチボルトと、ばねトルクをヒンジに提供するように構成されるトーションばねを含み、スイッチボルトにより提供される摩擦トルクは、トーションばねにより提供されるばねトルクより大きい。
【００５７】
例Ｍ２において、先行の複数の例「Ｍ」のいずれかの主題は、ヒンジはさらにスイッチボルトと連結し摩擦トルクを提供するスイッチボルト受けを含むことを任意に含み得る。
【００５８】
例Ｍ３において、先行の複数の例「Ｍ」のいずれかの主題は、ヒンジはさらに、スイッチプレートを含み、スイッチ機構は、スイッチボルトとスイッチボルト受けとを連結および分離すべく、スイッチプレートを選択的に移動させることを任意に含み得る。
【００５９】
例Ｍ４において、先行の複数の例「Ｍ」のいずれかの主題は、第２筐体がクレードルに挿入される場合にスイッチ機構はアクティベート化されることを任意に含み得る。
【００６０】
例Ｍ５において、先行の複数の例「Ｍ」のいずれかの主題は、第２筐体はスタンドアロン型のタブレットであることを任意に含み得る。
【００６１】
例Ｍ６において、先行の複数の例「Ｍ」のいずれかの主題は、スイッチ機構は磁石であることを任意に含み得る。
【００６２】
例Ｍ７において、先行の複数の例「Ｍ」のいずれかの主題は、ばねトルクはヒンジをデフォルトポジションにさせることを任意に含み得る。
【００６３】
例示的なシステムＳ１は、第１筐体と、第２筐体を受け入れるように構成されるクレードルと、第１筐体をクレードルに回転可能に連結するヒンジとを含み得る。ヒンジは、摩擦トルクをヒンジに選択的に提供するように構成されるスイッチボルトと、ばねトルクをヒンジに提供するように構成されるトーションばねと、スイッチボルトをアクティベート化し、かつ、非アクティベート化するスイッチ機構を含み、スイッチボルトにより提供される摩擦トルクは、トーションばねにより提供されるばねトルクより大きい。
【００６４】
例示的なシステムＳ２は、ヒンジはさらにスイッチボルトと連結し摩擦トルクを提供するスイッチボルト受けを含むことを含み得る。
【００６５】
例Ｓ３において、先行の複数の例「Ｓ」のいずれかの主題は、ヒンジはさらに、スイッチプレートを含み、スイッチ機構は、スイッチボルトとスイッチボルト受けとを連結および分離すべく、スイッチプレートを選択的に移動させることを任意に含み得る。
【００６６】
例Ｓ４において、先行の複数の例「Ｓ」のいずれかの主題は、第２筐体がクレードルに挿入される場合にスイッチ機構はアクティベート化されることを任意に含み得る。
【００６７】
例Ｓ５において、先行の複数の例「Ｓ」のいずれかの主題は、アクセサリは１または複数の浮遊磁場を低減するための鉄の筐体の一部を含むことを任意に含み得る。
【００６８】
例Ｓ６において、先行の複数の例「Ｓ」のいずれかの主題は、第２筐体はスタンドアロン型のタブレットであることを任意に含み得る。
【００６９】
例Ｓ７において、先行の複数の例「Ｓ」のいずれかの主題は、ばねトルクはヒンジをデフォルトポジションにさせることを任意に含み得る。
【００７０】
例Ｘ１は、複数の例Ａ１からＡ７およびＭ１からＭ７のいずれか１つとして、方法を実施するまたは装置を実現するための機械可読命令を含む機械可読記憶媒体である。例Ｙ１は、例示的な複数の方法Ｍ１からＭ７のいずれかを実行するための手段を備える装置である。例Ｙ２において、例Ｙ１の主題は、プロセッサおよびメモリを備える方法を実行する手段を任意に含み得る。例Ｙ３において、例Ｙ２の主題は、機械可読命令を備えるメモリを任意に含み得る。
【図１Ａ】
2018524649.tif 000003
【図１Ｂ】
2018524649.tif 000004
【図１Ｃ】
2018524649.tif 000005
【図１Ｄ】
2018524649.tif 000006
【図２】
2018524649.tif 000007
【図３】
2018524649.tif 000008
【図４】
2018524649.tif 000009
【図５】
2018524649.tif 000010
【図６】
2018524649.tif 000011
【図７】
2018524649.tif 000012
【図８】
2018524649.tif 000013
【図９】
2018524649.tif 000014
【図１０】
2018524649.tif 000015
【国際調査報告】
2018524649.tif 000016
2018524649.tif 000017